(57)【要約】【課題】毛穴の汚れをより効率よく除去することのできる美容装置および美容方法を提供する。【解決手段】美容装置１０は、使用者Ｕの肌Ｓに供給されるアルカリ液Ｌ１を貯留するアルカリ液貯留部３３と、アルカリ液貯留部３３に貯留されたアルカリ液Ｌ１が吐出されるアルカリ液吐出口８０ａを有するアルカリ液通路８０と、使用者Ｕの肌Ｓにアルカリ液Ｌ１を吐出するアルカリ液吐出機構５０と、を備えている。そして、アルカリ液Ｌ１を吐出して使用者Ｕの肌Ｓの汚れを除去するプロセスが複数設定されている。【選択図】図１０
2018099419.tif 000002
【特許請求の範囲】
【請求項１】
使用者の肌に供給されるアルカリ液を貯留するアルカリ液貯留部と、
前記アルカリ液貯留部に貯留されたアルカリ液が吐出されるアルカリ液吐出口を有するアルカリ液通路と、
前記使用者の肌に前記アルカリ液を吐出するアルカリ液吐出機構と、
を備え、
前記アルカリ液を吐出して前記使用者の肌の汚れを除去するプロセスが複数設定されていることを特徴とする美容装置。
【請求項２】
前記プロセスは、前記アルカリ液を所定の流速で吐出させる第１プロセスと、前記第１プロセスにおける前記アルカリ液の吐出流速よりも速い流速で前記アルカリ液を吐出させる第２プロセスと、を有することを特徴とする請求項１に記載の美容装置。
【請求項３】
前記第１プロセスが前記第２プロセスよりも先に行われるようにしたことを特徴とする請求項２に記載の美容装置。
【請求項４】
前記第１プロセスは、内蔵されたタイマーにより所定時間がカウントされた際に終了するように設定されていることを特徴とする請求項２または請求項３に記載の美容装置。
【請求項５】
前記アルカリ液の吐出を行うための洗浄釦を有し、
前記洗浄釦を操作している時のみに前記アルカリ液の吐出が行われるようにしたことを特徴とする請求項１〜４のうちいずれか１項に記載の美容装置。
【請求項６】
請求項１〜５のうちいずれか１項に記載の美容装置を用いて行われる美容方法であって、
前記アルカリ液吐出機構によって前記使用者の肌に前記アルカリ液を所定の流速で吐出させることで、前記使用者の肌に前記アルカリ液を供給するアルカリ液供給工程と、
前記アルカリ液供給工程の後に行われ、前記アルカリ液吐出機構によって前記使用者の肌に前記アルカリ液を前記所定の流速よりも速い流速で吐出させることで、前記使用者の肌を洗浄する肌洗浄工程と、
を備えることを特徴とする美容方法。
【発明の詳細な説明】
【技術分野】
【０００１】
本発明は、美容装置および美容方法に関する。
【背景技術】
【０００２】
従来、美容装置として、液体を貯留するタンクと、タンク内の液体を外部に噴出する噴出口と、タンクから噴出口に至る流路の途中に設けられたピストンポンプと、を備えるものが知られている（例えば、特許文献１参照）。
【０００３】
この特許文献１では、ピストンポンプを作動させることで、タンク内の液体を脈動ジェット流として噴出口から放出させるようにしている。そして、噴出口から放出させた脈動ジェット流を頭皮などに当てることで、頭皮などの毛穴に付着した汚れ（例えば、皮脂、角栓、塵芥物等）を除去できるようにしている。
【先行技術文献】
【特許文献】
【０００４】
【特許文献１】特開平１０−２６３０４４号公報
【発明の概要】
【発明が解決しようとする課題】
【０００５】
しかしながら、皮脂、角栓、塵芥物等の汚れは、通常、複雑に混ざり合った状態で毛穴に固着している。そのため、上記従来の技術のように、単に脈動ジェット流を頭皮などに当てるだけでは、複雑に混ざり合った状態で固着している汚れを効率よく除去することができなかった。
【０００６】
本発明は、上記従来の課題を解決するもので、毛穴の汚れをより効率よく除去することのできる美容装置および美容方法を提供することを目的とする。
【課題を解決するための手段】
【０００７】
上記目的を達成するために、本発明の美容装置は、使用者の肌に供給されるアルカリ液を貯留するアルカリ液貯留部と、前記アルカリ液貯留部に貯留されたアルカリ液が吐出されるアルカリ液吐出口を有するアルカリ液通路と、前記使用者の肌に前記アルカリ液を吐出するアルカリ液吐出機構と、を備えている。
【０００８】
そして、前記アルカリ液を吐出して前記使用者の肌の汚れを除去するプロセスが複数設定されている。
【０００９】
このように、アルカリ液を吐出して使用者の肌の汚れを除去するプロセスを複数設定すれば、例えば、肌の汚れを軟化させるプロセスや軟化させた汚れを除去するプロセス等を設定することができ、毛穴の汚れをより効率よく除去することができるようになる。
【００１０】
また、本発明の美容方法は、前記美容装置を用いて行われるものである。
【００１１】
前記美容方法は、前記アルカリ液吐出機構によって前記使用者の肌に前記アルカリ液を所定の流速で吐出させることで、前記使用者の肌に前記アルカリ液を供給するアルカリ液供給工程を備えている。
【００１２】
さらに、前記美容方法は、前記アルカリ液供給工程の後に行われ、前記アルカリ液吐出機構によって前記使用者の肌に前記アルカリ液を前記所定の流速よりも速い流速で吐出させることで、前記使用者の肌を洗浄する肌洗浄工程を備えている。
【００１３】
これにより、毛穴等に固着した汚れを軟化させながら除去することができるため、毛穴等に固着した汚れをより効率よく除去することができるようになる。
【発明の効果】
【００１４】
本発明によれば、毛穴の汚れをより効率よく除去することのできる美容装置および美容方法を得ることができる。
【図面の簡単な説明】
【００１５】
【図１】本発明の実施の形態１にかかる美容装置を示す図であって、（ａ）は正面図、（ｂ）は側面図、（ｃ）は背面図である。
【図２】図１（ａ）のＡ−Ａ断面図である。
【図３】本発明の実施の形態１にかかるノズル部を示す側面図である。
【図４】本発明の実施の形態１にかかるノズル部を示す正面図である。
【図５】図４のＢ−Ｂ断面図である。
【図６】本発明の実施の形態１の変形例にかかるノズル部を示す断面図である。
【図７】本発明の実施の形態１の変形例にかかるノズル部を使用者の肌に当てた状態を示す断面図である。
【図８】本発明の実施の形態１にかかる吐出口の位置関係を説明する図である。
【図９】比較例にかかる吐出口の位置関係を説明する図である。
【図１０】本発明の実施の形態１にかかる美容装置の動作の一例を示すフローチャートである。
【発明を実施するための形態】
【００１６】
本発明の実施の形態にかかる美容装置は、使用者の肌に供給されるアルカリ液を貯留するアルカリ液貯留部と、前記アルカリ液貯留部に貯留されたアルカリ液が吐出されるアルカリ液吐出口を有するアルカリ液通路と、前記使用者の肌に前記アルカリ液を吐出するアルカリ液吐出機構と、を備えるものである。
【００１７】
そして、前記アルカリ液を吐出して前記使用者の肌の汚れを除去するプロセスが複数設定されているものである。
【００１８】
このように、アルカリ液を吐出して使用者の肌の汚れを除去するようにすれば、アルカリ液によって、毛穴等に固着された皮脂、角栓などのたんぱく質の加水分解が促進されて、毛穴等に固着した汚れを軟化させることができるため、毛穴等に固着した汚れをより容易に除去することができるようになる。そして、アルカリ液を吐出して使用者の肌の汚れを除去するプロセスとして複数のプロセスを設定すれば、例えば、肌の汚れを軟化させるプロセスや軟化させた汚れを除去するプロセス等を設定することができ、毛穴の汚れをより効率よく除去することが可能となる。
【００１９】
また、前記プロセスが、前記アルカリ液を所定の流速で吐出させる第１プロセスと、前記第１プロセスにおける前記アルカリ液の吐出流速よりも速い流速で前記アルカリ液を吐出させる第２プロセスと、を有するようにすることができる。
【００２０】
このように、アルカリ液を吐出して使用者の肌の汚れを除去するプロセスが、アルカリ液の吐出速度の異なる２つのプロセスを有するようにすれば、アルカリ液の肌への供給やアルカリ液による毛穴の汚れ除去等、プロセスに応じてアルカリ液の吐出速度を切り替えることが可能となる。その結果、毛穴の汚れをより効率よく除去することが可能となる。
【００２１】
また、前記第１プロセスが前記第２プロセスよりも先に行われるようにすることができる。
【００２２】
こうすれば、吐出速度が比較的遅い第１プロセスによってアルカリ液を肌に供給した後に、吐出速度が比較的速い第２プロセスによって毛穴の汚れ除去を行うことができるようになる。その結果、毛穴の汚れをより効率よく除去することが可能となる。
【００２３】
なお、毛穴の汚れを効率よく除去するためには、アルカリ液の肌への吐出速度をより速くすることが考えられるが、１つのプロセスのみを用いてアルカリ液を吐出する場合、吐出速度が速くなりすぎて肌に刺激を与えてしまうおそれがある。これに対して、吐出速度が比較的遅い第１プロセスの後に吐出速度が比較的速い第２プロセスを行うようにすれば、第２プロセスにおける肌への吐出速度を必要以上に速くすることなく、毛穴の汚れを除去することが可能となる。したがって、肌に与える刺激を極力抑制しつつ、毛穴の汚れをより効率よく除去することができるようになる。
【００２４】
また、前記第１プロセスが、内蔵されたタイマーにより所定時間がカウントされた際に終了するように設定することができる。
【００２５】
こうすれば、使用方法が簡便になって、美容装置の使い勝手をより向上させることができるようになる。
【００２６】
また、タイマーを使用して第１プロセスを終了させるようにすれば、第１プロセスにかける時間が必要以上に長くなってしまったり、必要以上に短くなってしまったりすることを抑制することができる。
【００２７】
ところで、第１プロセスにかける時間が必要以上に長くなってしまうと、美容装置の使用時間が長くなってしまう上、第１プロセスを行う際に多くのアルカリ液を消費してしまうおそれがある。一方、第１プロセスにかける時間が必要以上に短くなってしまうと、アルカリ液が汚れと化学反応するために必要な時間（汚れを軟化させるために必要な時間）を確保することができず、毛穴の汚れ除去効果が低下してしまうおそれがある。
【００２８】
しかしながら、タイマーを使用して第１プロセスを終了させるようにすれば、必要以上の時間をかけることなく、アルカリ液が汚れと化学反応するために必要な時間を確保することができるようになる。すなわち、第１プロセスが行われる時間を、より最適な時間となるように設定することができる。
【００２９】
こうすれば、美容装置の使用時間の短縮化を図りつつ、毛穴の汚れ除去効果をより向上させることができるようになる。
【００３０】
なお、美容装置の使用時間の短縮化を図ることで、第１プロセスを行う際に消費されるアルカリ液の量や電力等を抑えることができるようになるため、アルカリ液や電力を無駄に消費してしまうのを抑制することができるようになる。このように、使用時間の短縮化を図り、アルカリ液や電力の消費量を抑えるようにすることで、１回の使用時にかかるコストを低減させることができるようになる。
【００３１】
また、前記アルカリ液の吐出を行うための洗浄釦を有し、前記洗浄釦を操作している時のみに前記アルカリ液の吐出が行われるようにすることができる。
【００３２】
こうすれば、使用者の意志によりアルカリ液を吐出させることができるようになるため、アルカリ液吐出口を肌に向けていない状態で、アルカリ液が意図せず吐出されてしまうことを抑制することができるようになる。すなわち、美容装置の使用時にアルカリ液が周囲に飛び散ってしまうのをより確実に抑制することができるようになる。その結果、より安心して美容装置を使用することができるようになって、美容装置の使い勝手をより向上させることができるようになる。
【００３３】
また、本発明の実施の形態にかかる美容方法は、前記美容装置を用いて行われるものである。
【００３４】
この美容方法は、前記アルカリ液吐出機構によって前記使用者の肌に前記アルカリ液を所定の流速で吐出させることで、前記使用者の肌に前記アルカリ液を供給するアルカリ液供給工程を備えている。
【００３５】
さらに、美容方法は、前記アルカリ液供給工程の後に行われ、前記アルカリ液吐出機構によって前記使用者の肌に前記アルカリ液を前記所定の流速よりも速い流速で吐出させることで、前記使用者の肌を洗浄する肌洗浄工程を備えている。
【００３６】
こうすれば、アルカリ液供給工程で肌に供給されたアルカリ液によって毛穴等に固着した汚れを軟化させた後に、肌洗浄工程で吐出されたアルカリ液によって軟化した汚れを除去することができるようになるため、毛穴の汚れをより効率よく除去することができるようになる。また、肌洗浄工程では、軟化した汚れを除去することになるため、アルカリ液の吐出速度を必要以上に速くしなくても汚れを除去することができるようになる。したがって、肌に与える刺激を極力抑制しつつ、毛穴の汚れをより効率よく除去することが可能となる。
【００３７】
以下、本発明の実施の形態について、図面を参照しながら説明する。なお、この実施の形態によって本発明が限定されるものではない。
【００３８】
また、以下では、通常使用時にアルカリ液吐出口が位置する側を美容装置の上側と規定して説明する。
【００３９】
（実施の形態１）
本実施の形態１にかかる美容装置１０は、図１および図２に示すように、把持部２１ａが形成された本体部２０と、本体部２０の下部に着脱可能に取り付けられるタンクケース３０と、本体部２０の上部に着脱可能に取り付けられるノズル部４０と、を備えている。
【００４０】
この美容装置１０は、タンクケース３０の内部に貯留されたアルカリ液Ｌ１を、ノズル部４０の先端側に形成されたアルカリ液吐出口８０ａから使用者Ｕの肌Ｓに吐出させることで、使用者Ｕの肌Ｓに付着した汚れを除去する装置である。このように、アルカリ液Ｌ１を使用者Ｕの肌Ｓに吐出させるようにすれば、アルカリ液Ｌ１によって使用者Ｕの肌Ｓの毛穴に付着した皮脂、角栓などのたんぱく質の加水分解が促進されて、毛穴等に固着した汚れを軟化させることができるため、毛穴等に固着した汚れをより容易に除去することができるようになる。
【００４１】
以下、本実施の形態１にかかる美容装置１０の具体的な構成について説明する。
【００４２】
本体部２０は、絶縁性の合成樹脂で形成された細長い略筒状のケーシング２１を備えており、このケーシング２１の筒内に主要な構成要素が収容されている。
【００４３】
そして、ケーシング２１の長手方向略中央部には、把持部２１ａが形成されている。本実施の形態１では、ケーシング２１の長手方向略中央部、すなわち、ケーシング２１の把持部２１ａとなる部位における後部（美容装置１０の背面側）に、内側に向けて凸となるように湾曲させた凹部２１ｂを形成している。このように、凹部２１ｂを形成し、ケーシング２１の把持部２１ａとなる部位を細くすることで、把持部２１ａの形状を手で握りやすい形状となるようにしている。
【００４４】
また、本実施の形態１では、タンクケース３０をケーシング２１に装着した状態で、美容装置１０の底部に平坦面が形成されるようにしており、非使用時には、ノズル部４０を上にした姿勢で美容装置１０を静置できるようにしている。
【００４５】
そして、ケーシング２１の上端部には、上側開口２１ｃが形成されており、この上側開口２１ｃにノズル部４０のノズル本体部４１を嵌挿することで、ノズル部４０を本体部２０の上部に着脱可能に取り付けることができるようにしている。本実施の形態１では、ケーシング２１の背面側の上端部に突没可能な押釦２２が取り付けられており、この押釦２２を操作（例えば押し込み操作）することで、本体部２０（ケーシング２１）とノズル部４０との結合を解除できるようにしている。なお、ノズル部４０の本体部２０への着脱方法はこれに限らず様々な方法とすることができる。例えば、ノズル部４０を本体部２０の上部にねじ込むことでノズル部４０を本体部２０に装着させるねじ込み式の着脱方法とすることができる。
【００４６】
一方、ケーシング２１の下端部には、下側開口２１ｄが形成されており、この下側開口２１ｄにタンクケース３０を下方から嵌挿することで、タンクケース３０を本体部２０の下部に着脱可能に取り付けることができるようにしている。このタンクケース３０は、底壁部３１と、底壁部３１の周縁部から上方に向けて延設された周壁部３２と、を有する有底筒状に形成されており、このタンクケース３０の内部に、アルカリ液Ｌ１を貯留するアルカリ液貯留部３３が形成されている。
【００４７】
上述したように、タンクケース３０は、本体部２０の下部に着脱可能に取り付けられており、タンクケース３０を本体部２０から取り外した状態で、アルカリ液貯留部３３内にアルカリ液Ｌ１を貯留させるようになっている。そして、アルカリ液Ｌ１が貯留された状態のタンクケース３０を下方から下側開口２１ｄに嵌挿することで、美容装置１０にアルカリ液Ｌ１を貯留させるようにしている。本実施の形態１では、アルカリ液貯留部３３内に貯留できるアルカリ液Ｌ１の容量を８０ｍｌ程度とすることで、使用者Ｕが女性や高齢者等であっても無理なく使用することができる重さとなるようにしている。また、本実施の形態１では、タンクケース３０を透明または半透明となるように形成するとともに、ケーシング２１におけるタンクケース３０が装着される部位に上下方向に細長い液位窓２３を設けることで、タンクケース３０内のアルカリ液Ｌ１の液面を外部から視認できるようにしている。さらに、本実施の形態１では、タンクケース３０の形状が、上方に大きく開口した形状になっており、タンクケース３０内を容易に清掃することができるようになっている。
【００４８】
このアルカリ液貯留部３３内に貯留させるアルカリ液Ｌ１は、例えば、ｐＨ調整用のアルカリ濃縮液Ｌ２を入れ、水道水等の液体Ｌ３を給液することで生成することができる。なお、給液する液体Ｌ３としては、常温の液体を用いることもできるが、４０℃程度に加温された液体を用いることもできる。４０℃程度の液体を給液した場合、タンパク質の分解がより促進されることとなるため、洗浄力（汚れ除去力）をより高めることができるようになる。また、アルカリ液貯留部３３内にアルカリ液Ｌ１を貯留させる方法は上記の方法に限られるものではなく、例えば、予め用意したアルカリ液Ｌ１を、アルカリ液貯留部３３内に直接貯留させるようにしてもよい。このとき、予め用意したアルカリ液Ｌ１を加温した後にアルカリ液貯留部３３内に貯留させるようにすることもできる。
【００４９】
また、アルカリ液貯留部３３内に貯留するアルカリ液Ｌ１は、ｐＨが９〜１２の範囲となるようにするのが好ましい。アルカリ液Ｌ１のｐＨを上記範囲とすれば、使用者Ｕの眼や肌Ｓへの刺激を抑制することができるためである。
【００５０】
アルカリ濃縮液Ｌ２は、例えば、主成分である水と、約０．１ｗｔ％のリン酸３ナトリウムと、約１ｗｔ％のリン酸水素２ナトリウムと、約３ｗｔ％のプロパンジオールと、を含む液体とすることができる。すなわち、主成分である水に、約０．１ｗｔ％のリン酸３ナトリウムと、約１ｗｔ％のリン酸水素２ナトリウムと、約３ｗｔ％のプロパンジオールと、を調合する（溶解させる）ことでアルカリ濃縮液Ｌ２を生成することができる。このようにして生成されたアルカリ濃縮液Ｌ２のｐＨは、約１０．７となる。
【００５１】
なお、アルカリ濃縮液Ｌ２に水道水等の液体Ｌ３を給液することでアルカリ液Ｌ１を生成する際に、リン酸３ナトリウムおよびリン酸水素２ナトリウムを用いると、比較的少ない調合量で約ｐＨ１０．５（ｐＨが９〜１２の範囲）となるアルカリ液Ｌ１を生成することができる。このように、アルカリ液Ｌ１を生成する際に用いられる試薬の調合量を少なくすれば、後述するアルカリ液通路８０内の液が乾燥した際に生じる試薬の再結晶によって、アルカリ液通路８０やアルカリ液吐出口８０ａが塞がれてしまうのを抑制することができるようになる。
【００５２】
また、リン酸３ナトリウムおよびリン酸水素２ナトリウムを用いることでｐＨ緩衝能に優れたアルカリ液Ｌ１とすることができるようになる。すなわち、上記の成分を調合することで生成されたアルカリ液Ｌ１は、ｐＨ緩衝能を有する液体となっている。
【００５３】
このように、ｐＨ緩衝能を有するアルカリ液Ｌ１を美容装置１０に用いれば、供給される肌Ｓの状態（肌ＳのｐＨ）によってアルカリ液のｐＨが変化してしまうのを抑制することができるようになる。すなわち、アルカリ液Ｌ１が供給される前の肌Ｓの状態（肌ＳのｐＨ）にかかわらず、肌Ｓに供給された状態におけるアルカリ液Ｌ１のｐＨが生成時の値（上記成分を含むアルカリ液Ｌ１では約１０．５）から大きく外れてしまわないようにすることができる。
【００５４】
このように、肌Ｓに供給された状態におけるアルカリ液Ｌ１のｐＨの変化を極力少なくすることで、アルカリ液Ｌ１のｐＨが変化してしまうことに起因する洗浄力の低下を抑制することができるようになる。すなわち、アルカリ液Ｌ１にｐＨ緩衝能を持たせるようにすれば、より安定した洗浄力を確保することができるようになる。
【００５５】
また、アルカリ液Ｌ１としてｐＨ緩衝能を有する液体を用いれば、アルカリ液Ｌ１を希釈した際に生じるｐＨの変化も極力少なくすることができるため、希釈したアルカリ液Ｌ１を用いて肌Ｓの洗浄（汚れ除去）を行うことが可能となる。このように、希釈したアルカリ液Ｌ１を用いて肌Ｓの洗浄を行えるようにすれば、１回の洗浄で使用される試薬の量をより少なくすることができるようになるため、アルカリ液通路８０やアルカリ液吐出口８０ａが塞がれてしまうのをより抑制することができるようになる。
【００５６】
アルカリ液Ｌ１を水で希釈する際には、常温水を用いることもできるが、４０℃程度の加温水を用いることもできる。４０℃程度の加温水を用いて希釈した場合、タンパク質の分解がより促進されることとなるため、洗浄力をより高めることができるようになる。
【００５７】
なお、アルカリ濃縮液Ｌ２もｐＨ緩衝能を有する液体となっているため、アルカリ濃縮液Ｌ２に水道水等の液体Ｌ３を給液することでアルカリ液Ｌ１を生成する際に、給液する液体Ｌ３の影響を受け難くなるという利点がある。
【００５８】
また、プロパンジオールは液の抗菌作用および肌の保湿作用を有しているため、プロパンジオールが調合されたアルカリ液Ｌ１には、抗菌成分および保湿成分の両方の成分が含まれていることになる。
【００５９】
このように、アルカリ液Ｌ１をプロパンジオールが調合された液体とすれば、アルカリ液Ｌ１の保存性能を向上させることができる上、アルカリ液Ｌ１が供給された肌Ｓ（使用後の肌Ｓ）に与えられる刺激を低減させることができるようになる。
【００６０】
また、液の抗菌作用および肌の保湿作用を有するプロパンジオールを用いるようにすれば、すなわち、抗菌成分および保湿成分として同一の成分を用いるようにすれば、調合する試薬の種類および量を低減させることが可能となる。その結果、アルカリ液通路８０内の液が乾燥した際に生じる試薬の再結晶によって、アルカリ液通路８０やアルカリ液吐出口８０ａが塞がれてしまうのを抑制することができるようになる上、アルカリ液Ｌ１の生産性の向上を図ることができるようになる。
【００６１】
なお、アルカリ液Ｌ１は、上記の成分以外の成分を含んでいてもよい。また、アルカリ液Ｌ１は、上記の成分以外の成分、例えば、炭酸ナトリウムと炭酸水素ナトリウムとの組み合わせ、ピロリン酸２ナトリウムとピロリン酸３ナトリウムとの組み合わせ、プロピオン酸ナトリウム、ＡＭＰＤ（２−アミノ−２−メチル−１，３−プロパンジオール）等、様々な成分を用いて生成することができる。
【００６２】
そして、この美容装置１０内には、アルカリ液貯留部３３内に貯留されたアルカリ液Ｌ１が通過するアルカリ液通路８０が形成されており、このアルカリ液通路８０の下流端が、アルカリ液Ｌ１を美容装置１０の外部に吐出させるアルカリ液吐出口８０ａとなっている。すなわち、アルカリ液貯留部３３内に貯留されたアルカリ液Ｌ１は、アルカリ液通路８０を通ってアルカリ液吐出口８０ａから吐出されるようになっている。
【００６３】
また、本実施の形態１では、アルカリ液貯留部３３内に貯留されたアルカリ液Ｌ１を使用者Ｕの肌Ｓに吐出するアルカリ液吐出機構を美容装置１０に設け、このアルカリ液吐出機構によってアルカリ液Ｌ１がアルカリ液吐出口８０ａから吐出されるようにしている。
【００６４】
具体的には、アルカリ液通路８０の途中に、アルカリ液吐出機構としてのポンプ部５０を設け、このポンプ部５０を作動させることで、アルカリ液貯留部３３内に貯留されたアルカリ液Ｌ１をアルカリ液吐出口８０ａから噴射させるようにしている。
【００６５】
本実施の形態１では、ポンプ部５０は、本体部２０に内蔵されており、このポンプ部５０は、小型で高吐出力とすることが可能なダイアフラム式のポンプ５１を備えている。さらに、ポンプ部５０は、ダイアフラム式のポンプ５１を駆動する電動モータ５２を備えている。なお、ダイアフラム式のポンプ５１の替わりにピストンポンプを用いるようにしてもよい。
【００６６】
また、電動モータ５２は、電源としての蓄電池６０に電気的に接続されており、当該蓄電池６０の電力によって駆動するようになっている。なお、蓄電池６０にはジャック６１が電気的に接続されており、ジャック６１を介してＡＣアダプター等の図示せぬ外部電源から電気を供給することで、蓄電池６０の充電が行われるようになっている。本実施の形態１では、通常時には、ジャック６１が蓋２４によって覆われるようにしており、蓄電池６０への充電は、蓋２４を取り外して、ジャック６１をＡＣアダプター等の図示せぬ外部電源に接続させることで行われるようにしている。
【００６７】
このように、本実施の形態１では、アルカリ液通路８０の途中に、アルカリ液吐出機構としてのポンプ部５０を設けているため、アルカリ液通路８０は、アルカリ液貯留部３３内に貯留されたアルカリ液Ｌ１をポンプ部５０に供給する吸入側通路８１を有することとなる。この吸入側通路８１の先端（上流側端部）には、網目状のフィルタ８１ａが設けられており、異物がアルカリ液通路８０内に侵入してしまうのを抑制できるようになっている。
【００６８】
また、アルカリ液通路８０は、アルカリ液吐出口８０ａを有し、ポンプ部５０内のアルカリ液Ｌ１が導入される吐出側通路８２を有することとなる。この吐出側通路８２は、ポンプ部５０の下流側に連設されるケーシング内通路８２ａと、ノズル部４０を本体部２０の上部に取り付けた際に、ケーシング内通路８２ａの下流側に連通するノズル内通路８２ｂと、で構成されている。そして、ノズル内通路８２ｂの下流側にアルカリ液吐出口８０ａが形成されている。
【００６９】
このノズル部４０は、図２および図３に示すように、本体部２０の先端（アルカリ液Ｌ１が吐出される側）に着脱可能に取り付けられるものであり、本体部２０の上側開口２１ｃに嵌挿されるノズル本体部４１を備えている。このノズル本体部４１には、アルカリ液吐出口８０ａおよびアルカリ液吐出口８０ａ側のノズル内通路８２ｂが形成されている。なお、図３では、ノズル部４０の全体が示されており、ノズル本体部４１の取っ手部分（本体部２０の上側開口２１ｃに引っ掛けられる部分）が示されている。
【００７０】
また、ノズル部４０は、略筒状の連結部材４２を備えている。この連結部材４２は、ノズル本体部４１のノズル内通路８２ｂに連設されるとともに、ノズル部４０を本体部２０の上部に取り付けた状態でケーシング内通路８２ａの下流側に連設される内部空間（ノズル内通路８２ｂの一部）を有している。なお、連結部材４２はノズル本体４１に着脱可能に取り付けられており、ノズル内通路８２ｂの掃除を容易に行えるようになっている。
【００７１】
さらに、ノズル部４０は、美容装置１０の使用時に使用者Ｕの肌Ｓに接触させる肌接触部４３を備えている。この肌接触部４３は、ノズル本体部４１の取っ手部分よりも先端側（アルカリ液Ｌ１が吐出される側）に取り付けられている。なお、肌接触部４３もノズル本体部４１に着脱可能に取り付けられており、肌接触部４３の掃除を容易に行えるようになっている。
【００７２】
また、本実施の形態１では、連結部材４２の上流側にフィルタ４４が設けられており、異物によってアルカリ液吐出口８０ａが目詰まりしてしまうのを抑制できるようにしている。このフィルタ４４は、連結部材４２の上流側に着脱可能に取り付けられており、連結部材４２から取り外した状態でフィルタ４４の掃除を行えるようにしている。なお、フィルタ４４と連結部材４２とを一体化させてもよい。
【００７３】
また、ノズル本体部４１には、２つのアルカリ液吐出口８０ａが形成されている。本実施の形態１では、２つのアルカリ液吐出口８０ａは、ノズル部４０の正面視（美容装置１０をノズル部４０が上方に位置するようにした状態におけるノズル部４０の正面視）で、ピッチ約１．５ｍｍで水平方向に並ぶように形成されている。また、各アルカリ液吐出口８０ａは、直径が約０．１６ｍｍの穴となっている。
【００７４】
このように、ノズル部４０の正面視で、水平方向に並ぶように２つのアルカリ液吐出口８０ａを形成するようにすれば、アルカリ液Ｌ１の吐出時に干渉する干渉領域Ｒの下方にアルカリ液吐出口８０ａが形成されないようにすることができる（図８参照）。
【００７５】
ところで、図９に示すように、３つのアルカリ液吐出口８０ａを周方向に等間隔に配置すると、アルカリ液Ｌ１の吐出時に干渉する干渉領域Ｒの下方にアルカリ液吐出口８０ａが形成されてしまう。このように、干渉領域Ｒの下方にアルカリ液吐出口８０ａが形成されてしまうと、干渉領域Ｒの下方に位置するアルカリ液吐出口８０ａからのアルカリ液Ｌ１の吐出が、干渉領域Ｒから落下するアルカリ液Ｌ１によって妨げられてしまうおそれがある。
【００７６】
これに対して、本実施の形態１のように、干渉領域Ｒの下方にアルカリ液吐出口８０ａが形成されないようにすれば、一方のアルカリ液吐出口８０ａからのアルカリ液Ｌ１の吐出が、他方のアルカリ液吐出口８０ａから吐出されたアルカリ液Ｌ１によって妨げられてしまうのを抑制することができるようになる。こうすれば、より効率よく持続的にアルカリ液Ｌ１を各アルカリ液吐出口８０ａから吐出させることができるようになる。
【００７７】
なお、アルカリ液吐出口８０ａは、１つだけ設けるようにすることも可能であるし、３つ以上設けるようにすることも可能である。３つ以上のアルカリ液吐出口８０ａを設ける場合、上述したように、干渉領域Ｒの下方にアルカリ液吐出口８０ａが形成されないようにするのが好ましい。
【００７８】
また、本実施の形態１では、２つのアルカリ液吐出口８０ａのピッチを約１．５ｍｍとしたものを例示したが、このピッチは、１．５ｍｍよりも大きくすることもできるし小さくすることもできる。ただし、ピッチを小さくし過ぎると、各アルカリ液吐出口８０ａが他のアルカリ液吐出口８０ａによる干渉を受けやすくなってしまうため、２つのアルカリ液吐出口８０ａは、他方のアルカリ液吐出口８０ａによる干渉を極力受けることがないように離した状態で形成するのが好ましい。また、ピッチを大きくし過ぎると、肌接触部４３が大きくなってしまい、美容装置１０の使い勝手が悪くなってしまうため、ピッチをあまり大きくし過ぎないようにするのが好ましい。
【００７９】
また、本実施の形態１では、アルカリ液吐出口８０ａの穴径（直径）を、一般的な毛穴の直径である０．２ｍｍ〜０．４ｍｍよりも小さい、約０．１６ｍｍとしている。こうすることで、アルカリ液吐出口８０ａから吐出されたアルカリ液Ｌ１が毛穴内に進入し易くなるため、毛穴の汚れをより効率よく洗い流すことができるようになる。
【００８０】
なお、ノズル部４０の替わりに、図６に示すノズル部４０Ａを用いることも可能である。このノズル部４０Ａでは、ノズル本体部４１Ａとは別体の円板４５をノズル本体部４１Ａに取り付けている。そして、円板４５の中央部に、２つのアルカリ液吐出口８０ａが、ノズル部４０Ａの正面視（美容装置１０をノズル部４０Ａが上方に位置するようにした状態におけるノズル部４０Ａの正面視）で、ピッチ約１．５ｍｍで水平方向に並ぶように形成されている。このノズル部４０Ａにおいても、各アルカリ液吐出口８０ａは、直径が約０．１６ｍｍの穴となっている。
【００８１】
さらに、ノズル部４０Ａでは、連結部材４２Ａがノズル本体４１Ａに着脱可能に取り付けられており、この連結部材４２Ａにフィルタ取付部材４６Ａが着脱可能に取り付けられている。そして、連結部材４２Ａにフィルタ取付部材４６Ａを取り付けた際に、連結部材４２Ａとフィルタ取付部材４６Ａとでフィルタ４４Ａが挟持されるようにしている。このように、ノズル部４０Ａにおいても、フィルタ４４Ａを設けることで異物によってアルカリ液吐出口８０ａが目詰まりしてしまうのを抑制できるようにしている。
【００８２】
なお、ノズル部４０Ａで用いられる肌接触部４３は、ノズル部４０で用いられる肌接触部４３と同一の形状をしている。
【００８３】
肌接触部４３は、弾性を有する材料で形成されており、肌当たりがよく、肌Ｓの上を滑らせても肌Ｓに刺激を与え難いようになっている。
【００８４】
この肌接触部４３は、ノズル本体部４１の先端（アルカリ液Ｌ１が吐出される側）に取り付けた際に、アルカリ液吐出口８０ａの周囲を囲う周壁部４３ａを有している。
【００８５】
本実施の形態１では、この周壁部４３ａの内径が約７ｍｍとなるようにしており、小鼻など、凹凸のある肌Ｓにも密着させることができるようにしている。こうすることで、美容装置１０の使用時に、肌Ｓに吐出されたアルカリ液Ｌ１が跳ね返って周囲に飛び散ってしまうのを抑制できるようにしている。また、本実施の形態１では、周壁部４３ａに、アルカリ液Ｌ１が一方向に吐出されるようにガイドするガイド部としての機能も持たせている。
【００８６】
さらに、周壁部４３ａの下部には切り欠き４３ｂが設けられており、美容装置１０の使用時には、切り欠き４３ｂと肌Ｓとの間に隙間Ｄが形成されるようにしている（図７参照）。こうすることで、アルカリ液吐出口８０ａから吐出されたアルカリ液Ｌ１を隙間Ｄから周壁部４３ａの外部（下部）に効率よく排出することができるようになる。その結果、アルカリ液Ｌ１が周壁部４３ａの下部に溜まってしまうことによって、アルカリ液吐出口８０ａからのアルカリ液Ｌ１の吐出が妨げられてしまうのが抑制されるため、美容装置１０による持続的な洗浄（肌Ｓへのアルカリ液Ｌ１の吐出）が可能となる。なお、本実施の形態１では、図７に示すように、肌Ｓ側が下方を向くように肌Ｓに対して約７５°傾けた方向をアルカリ液Ｌ１が吐出される方向（一方向）としている。こうすることで、肌Ｓに当たったアルカリ液Ｌ１が隙間Ｄに向けて跳ねるようにしている。
【００８７】
また、ノズル本体部４１に弾性を有する肌接触部４３を設けるようにすれば、肌接触部４３を肌Ｓに密着させることができるようになる。また、周壁部４３ａの突出量を適宜設定することで、アルカリ液吐出口８０ａから肌Ｓまでの距離をほぼ一定の距離（本実施の形態１では、約５ｍｍ〜７ｍｍ）に保つことができるようになる。こうにすることで、アルカリ液Ｌ１による肌Ｓの洗浄力をほぼ一定に保つことができるようになる。
【００８８】
なお、図７では、ノズル部４０Ａを用いたものを例示しているが、ノズル部４０を用いた場合であっても、肌接触部４３の肌Ｓへの接触方法は同様である。
【００８９】
また、ケーシング２１の空洞内（筒内）には、ポンプ部５０を構成するダイアフラム式のポンプ５１および電動モータ５２の他、電源としての蓄電池６０、ならびに電動モータ５２に供給する電力を制御する回路基板（制御部）７０が設けられている。なお、電動モータ５２や蓄電池６０は、回路基板（制御部）７０上に固定されたホルダー７１に支持されている。
【００９０】
ここで、本実施の形態１にかかる美容装置１０では、アルカリ液Ｌ１を吐出して使用者Ｕの肌Ｓの汚れを除去するプロセスが複数設定されている。
【００９１】
この複数のプロセスとして、本実施の形態１では、アルカリ液Ｌ１を所定の流速で吐出させる第１プロセスと、第１プロセスにおけるアルカリ液Ｌ１の吐出流速よりも速い流速でアルカリ液Ｌ１を吐出させる第２プロセスと、が設定されている。
【００９２】
さらに、第１プロセスが第２プロセスよりも先に行われるようにしており、この第１プロセスは、内蔵されたタイマーにより所定時間がカウントされた際に終了するように設定されている。
【００９３】
本実施の形態１では、第１プロセスでは、吐出されたアルカリ液Ｌ１を肌Ｓに供給（塗布）することを目的としている。したがって、第１プロセスにおいて吐出されるアルカリ液Ｌ１の流勢は、それほど強くする必要はないが、安定して肌Ｓに供給できるようにする必要がある。そのため、本実施の形態１では、第１プロセスにおけるアルカリ液Ｌ１の吐出流速を、約６〜７ｍ／ｓに設定している。
【００９４】
また、第１プロセスにおけるアルカリ液Ｌ１の吐出時間は、分解する化学反応時間を考慮して、約１〜２分に設定するのが好ましい。本実施の形態１では、第１プロセスの開始から１分経過後に第１プロセスが終了するようにしている。
【００９５】
一方、第２プロセスでは、肌Ｓの汚れを除去すること、すなわち、タンパク質が分解されて軟化した汚れを洗い流すことを目的としている。したがって、第２プロセスにおいて吐出されるアルカリ液Ｌ１の流勢は、比較的強くする必要がある。ただし、本実施の形態１では、軟化した汚れを洗い流すようになっているため、肌への負担が大きくなるほど強い流勢とする必要はない。そのため、第２プロセスにおけるアルカリ液Ｌ１の吐出流速は、約１０〜１１ｍ／ｓとなるように設定するのが好ましい。
【００９６】
また、第２プロセスにおけるアルカリ液Ｌ１の吐出時間は、肌Ｓへの負担を考慮して、２〜３分とするのが好ましい。本実施の形態１では、第２プロセスの開始から２分経過後に第２プロセスが終了するようにしている。
【００９７】
ところで、第２プロセスで肌Ｓの汚れを除去する際に感じる肌への刺激には個人差がある。そのため、本実施の形態１では、第２プロセスにおけるアルカリ液Ｌ１の吐出流速を使用者Ｕの好みに応じて変えることができるようにしている。具体的には、第２プロセスにおけるアルカリ液Ｌ１の吐出流速を３段階で可変させることができるようにしている。
【００９８】
そして、プロセスの切り替えや第２プロセスにおける流勢の切り替え等は、ケーシング２１に設けられたスイッチを操作することによって行われるようにしている。また、アルカリ液Ｌ１の吐出流速の制御やタイマーによる所定時間のカウントは、回路基板（制御部）７０によって行われている。
【００９９】
本実施の形態１では、ケーシング２１において、凹部２１ｂの反対側となる位置（美容装置１０の正面）の長手方向略中央部に、電源のＯＮ／ＯＦＦを切り替えるスイッチ２５が形成されている。そして、このスイッチ２５を押圧する（操作する）ことで、アルカリ液Ｌ１の吐出モード（第１プロセスおよび第２プロセス）も切り換えられるようになっている。なお、スイッチ２５をスライド式とすることも可能である。
【０１００】
本実施の形態１では、電源がＯＦＦの状態で、スイッチ２５を一度押圧する（操作する）と、電源がＯＮに切り替わるとともに、第１プロセスが選択されるようになっている。
【０１０１】
そして、第１プロセスが選択されている状態で再度スイッチ２５を押圧する（操作する）と、吐出モードが第１のプロセスから第２プロセスに切り替えられるようになっている。ただし、本実施の形態１では、第１プロセスが終了する前にスイッチ２５を押圧（操作）しても、第１のプロセスから第２プロセスには切り替わらないようになっている。すなわち、第１プロセスが終了した後にスイッチ２５を押圧（操作）することで、第１のプロセスから第２プロセスに切り替えられるようになっている。
【０１０２】
なお、第１プロセスは、第１プロセスにおけるアルカリ液Ｌ１の吐出時間の積算時間が１分となるまでカウントされた際に終了するように設定されている。ただし、積算時間が１分になる前に所定の時間（例えば、１分等）連続してアルカリ液Ｌ１の吐出が行われなかった場合には、電源がＯＦＦとなるように設定されている。
【０１０３】
また、第２プロセスが選択されている場合には、第２プロセスにおけるアルカリ液Ｌ１の吐出時間の積算時間が２分となるまでカウントされると、第２プロセスが終了して電源がＯＦＦとなるように設定されている。この第２プロセスが選択されている場合においても、積算時間が２分になる前に所定の時間（例えば、１分等）連続してアルカリ液Ｌ１の吐出が行われなかった場合には、電源がＯＦＦとなるように設定されている。
【０１０４】
また、ケーシング２１におけるスイッチ２５の上方には、選択モード表示部２６が設けられており、この選択モード表示部２６を見ることで、どの吐出モードが選択されているのかを確認することができるようになっている。このモード表示部２６は、例えば、ＬＥＤ素子および導光部材を用いて形成することができる。
【０１０５】
本実施の形態１では、２つのモード表示部２６が水平方向に並ぶように形成されている。そして、第１プロセスが選択されている場合には、図１（ａ）の左側のモード表示部２６が点灯するようにしている。このように、図１（ａ）の左側のモード表示部２６が点灯していることを視認することで、第１プロセスが選択されていることを確認できるようにしている。
【０１０６】
そして、第１プロセスが終了した場合には、図１（ａ）の右側のモード表示部２６が点滅するようにしている。このように、図１（ａ）の右側のモード表示部２６が点滅していることを視認することで、第２プロセスを選択することができることを確認できるようにしている。そして、図１（ａ）の右側のモード表示部２６が点滅している状態のときに、スイッチ２５を押圧（操作）することで、第１のプロセスから第２プロセスに吐出モードが切り替えられるようにしている。このとき、図１（ａ）の右側のモード表示部２６が点灯するようにしている。このように、図１（ａ）の右側のモード表示部２６が点灯していることを視認することで、第２プロセスが選択されていることを確認できるようにしている。
【０１０７】
なお、吐出モードの確認は、上記の方法に限られるものではなく、例えば、選択されているモードを文字や音などで知らせるようにすることも可能である。
【０１０８】
また、ケーシング２１におけるモード表示部２６の上方には、第２プロセスが選択されている際に、アルカリ液吐出口８０ａから吐出されるアルカリ液Ｌ１の水圧（水勢）を切り替えることのできる水圧調整ボタン２７が設けられている。本実施の形態１では、この水圧調整ボタン２７を押圧する（操作する）ことで、第２プロセスにおけるアルカリ液Ｌ１の吐出流速を３段階で切り替えることができるようにしている。この水圧調整ボタン２７もスライド式とすることが可能である。
【０１０９】
そして、第２プロセスが選択されている状態で、水圧調整ボタン２７を押圧（操作）する度に、アルカリ液Ｌ１の水圧（水勢）は、弱→中→強→弱の順に切り替えられるようになっている。なお、美容装置１０の電源をＯＦＦにした場合には、選択された水圧（水勢）が回路基板（制御部）７０に保存されるようにしている。したがって、再度電源をＯＮにした際には、電源をＯＦＦにする前に選択されている水圧（水勢）が選択された状態となる。すなわち、使用者Ｕが水圧（水勢）を一旦設定した場合には、水圧調整ボタン２７を押圧（操作）しない限り、設定した水圧（水勢）でアルカリ液Ｌ１を吐出させることができるようになっている。このように、選択された水圧（水勢）を回路基板（制御部）７０に保存させるようにすることで、使用者Ｕが水圧（水勢）を一旦設定した場合には、水圧（水勢）の変更を必要としない限り、水圧調整ボタン２７を押圧（操作）しなくても済むようにしている。
【０１１０】
そして、ケーシング２１における水圧調整ボタン２７の上方には、選択水圧表示部２８が設けられており、この選択水圧表示部２８を見ることで、どの水圧（水勢）が選択されているのかを確認することができるようになっている。この選択水圧表示部２８も、例えば、ＬＥＤ素子および導光部材を用いて形成することができる。
【０１１１】
本実施の形態１では、１つの選択水圧表示部２８が上下方向に細長く延在するように設けられている。そして、選択されている水圧（水勢）に応じて、選択水圧表示部２８の点灯状態を変化させるようにしている。点灯状態の変化方法としては、例えば、点灯させる部分の長さや位置、点灯させる色等を変化させることがあげられる。具体的には、点灯させる部分の長さを変化させる場合、例えば、弱が選択されている場合には、選択水圧表示部２８の下側３分の１を点灯させ、中が選択されている場合には、選択水圧表示部２８の下側の３分の２を点灯させ、強が選択されている場合には、選択水圧表示部２８の全体を点灯させるようにすることができる。また、点灯させる部分の位置を変化させる場合、例えば、弱が選択されている場合には、選択水圧表示部２８の下側３分の１を点灯させ、中が選択されている場合には、選択水圧表示部２８の中央部の３分の１を点灯させ、強が選択されている場合には、選択水圧表示部２８の上側３分の１を点灯させるようにすることができる。そして、点灯させる色を変化させる場合、例えば、弱が選択されている場合には、選択水圧表示部２８を青色に点灯させ、中が選択されている場合には、選択水圧表示部２８を緑色に点灯させ、強が選択されている場合には、選択水圧表示部２８を赤色に点灯させるようにすることができる。
【０１１２】
こうすれば、選択水圧表示部２８の点灯部分の長さや位置、選択水圧表示部２８の点灯色を視認することで、どの水圧（水勢）が選択されているのかを確認できるようになる。なお、選択されている水圧（水勢）の確認も、上記の方法に限られるものではなく、例えば、選択されている水圧（水勢）を文字や音などで知らせるようにすることが可能である。
【０１１３】
さらに、ケーシング２１における選択水圧表示部２８の上方には、アルカリ液Ｌ１の吐出を行うための洗浄釦２９が設けられており、この洗浄釦２９を押圧している（操作している）時のみにアルカリ液Ｌ１の吐出が行われるようにしている。すなわち、洗浄釦２９から指（手）を離すことで、アルカリ液Ｌ１の吐出がすぐに停止されるようにしている。こうすることで、肌接触部４３を肌に接触させていない状態等の意図しない状況でアルカリ液Ｌ１が吐出されてしまうのを抑制することができるようにしている。また、不用意に美容装置１０を動作させてしまったとしても、動作をすぐに停止させることができるようにすることで、美容装置１０をより安全に使用することができるようにしている。
【０１１４】
この洗浄釦２９による操作（アルカリ液Ｌ１の吐出の開始および停止）も、回路基板（制御部）７０によって制御されている。
【０１１５】
次に、上記構成をした美肌装置１０の動作、作用の一例について、図１０を用いて説明する。
【０１１６】
まず、使用者Ｕ等がタンクケース３０をケーシング２１から取り外し、アルカリ液貯留部３３内にｐＨ調整用のアルカリ濃縮液Ｌ２を入れ、水道水等の液体Ｌ３を給液することで、アルカリ液Ｌ１を生成する。本実施の形態１では、ｐＨ１０．５程度（ｐＨ９〜１２の範囲）のアルカリ液Ｌ１がアルカリ液貯留部３３内に貯留されるようにしている。
【０１１７】
そして、アルカリ液Ｌ１を貯留したタンクケース３０を、ケーシング２１の下側開口２１ｄに嵌挿することで、アルカリ液Ｌ１がアルカリ液貯留部３３内に貯留された美容装置１０とする。
【０１１８】
そして、美容装置１０のスイッチ２２を押圧（操作）する。このように、スイッチ２２を操作すると、電源がＯＮに切り替わるとともに、第１プロセスが選択される。
【０１１９】
また、回路基板（制御部）７０に形成されたタイマー（内蔵されたタイマー）が作動する。
【０１２０】
そして、ノズル部４０またはノズル部４０Ａの肌接触部４３を、例えば、小鼻等の肌Ｓの表面に接触させた状態で、洗浄釦２９を押圧（操作）する。
【０１２１】
このように、ノズル部４０またはノズル部４０Ａの肌接触部４３を肌Ｓに接触させた状態で、洗浄釦２９を押圧（操作）すると、電動モータ５２が駆動されてポンプ部５０が作動する。
【０１２２】
こうして、第１プロセスが開始され、吐出されたアルカリ液Ｌ１が肌Ｓに供給される。
【０１２３】
具体的には、ポンプ部５０が作動することで、アルカリ液貯留部３３内に貯留されたアルカリ液Ｌ１は、吸入側通路８１を通ってダイアフラム式のポンプ５１に流入し、ダイアフラム式のポンプ５１に流入したアルカリ液Ｌ１が吐出側通路８２を通ってアルカリ液吐出口８０ａから使用者Ｕの小鼻の表面等の肌Ｓに向け噴射される。
【０１２４】
このとき、約６〜７ｍ／ｓの吐出流速でアルカリ液Ｌ１が吐出される。こうすることで、アルカリ液Ｌ１が肌Ｓに供給され、このアルカリ液Ｌ１によって毛穴等に固着した汚れが軟化する。
【０１２５】
この第１プロセスでのアルカリ液Ｌ１の吐出時間は、タイマーによりカウントされており、吐出時間の積算時間が１分に到達するまで行われる。そして、吐出時間の積算時間が１分に到達した場合には、回路基板（制御部）７０によって第１プロセスが終了する。
【０１２６】
この第１プロセスが終了した後に、スイッチ２２を押圧（操作）すると、第１のプロセスから第２プロセスに吐出モードが切り替えられる。
【０１２７】
その後、水圧調整ボタン２７を押圧（操作）することで、第２プロセスにおけるアルカリ液Ｌ１の水圧（水勢）を所望の強さとなるようにする。なお、この動作は、既に所望の強さが選択されている場合には必要ない。
【０１２８】
そして、ノズル部４０またはノズル部４０Ａの肌接触部４３を、例えば、小鼻等の肌Ｓの表面に接触させた状態で、洗浄釦２９を押圧（操作）する。
【０１２９】
このように、ノズル部４０またはノズル部４０Ａの肌接触部４３を肌Ｓに接触させた状態で、洗浄釦２９を押圧（操作）すると、電動モータ５２が駆動されてポンプ部５０が作動する。
【０１３０】
こうして、第２プロセスが開始され、吐出されたアルカリ液Ｌ１の噴射の勢いで、毛穴等に固着した汚れが除去される。
【０１３１】
具体的には、ポンプ部５０が作動することで、アルカリ液貯留部３３内に貯留されたアルカリ液Ｌ１は、吸入側通路８１を通ってダイアフラム式のポンプ５１に流入し、ダイアフラム式のポンプ５１に流入したアルカリ液Ｌ１が吐出側通路８２を通ってアルカリ液吐出口８０ａから使用者Ｕの小鼻の表面等の肌Ｓに向け噴射される。
【０１３２】
このとき、約１０〜１１ｍ／ｓの吐出流速でアルカリ液Ｌ１が吐出される。このように、アルカリ液Ｌ１を第１プロセスのときよりも勢いよく吐出させることで、吐出されたアルカリ液Ｌ１の噴射の勢いで、毛穴等に固着した汚れが除去される。
【０１３３】
この第２プロセスでのアルカリ液Ｌ１の吐出時間も、タイマーによりカウントされており、吐出時間の積算時間が２分に到達するまで行われる。そして、吐出時間の積算時間が２分に到達した場合には、回路基板（制御部）７０によって第２プロセスが終了するとともに、電源がＯＦＦとなる。
【０１３４】
このように、本実施の形態１にかかる美容方法は、美容装置１０を用いて行われるものである。
【０１３５】
そして、本実施の形態１にかかる美容方法は、ポンプ部（アルカリ液吐出機構）５０によって使用者Ｕの肌Ｓにアルカリ液Ｌ１を所定の流速で吐出させることで、使用者Ｕの肌Ｓにアルカリ液Ｌ１を供給するアルカリ液供給工程を備えている。
【０１３６】
さらに、本実施の形態１にかかる美容方法は、アルカリ液供給工程の後に行われ、ポンプ部（アルカリ液吐出機構）５０によって使用者Ｕの肌Ｓにアルカリ液Ｌ１を所定の流速よりも速い流速で吐出させることで、使用者Ｕの肌Ｓを洗浄（肌Ｓに付着した汚れを除去）する肌洗浄工程を備えている。
【０１３７】
なお、本実施の形態１では、第２プロセスでのアルカリ液Ｌ１の吐出時間も、タイマーによりカウントされるようにしたものを例示したが、第２プロセスでは、アルカリ液貯留部３３内のアルカリ液Ｌ１がなくなるまでアルカリ液Ｌ１を吐出させるようにすることも可能である。例えば、ノズル部４０やノズル部４０Ａに流速検知部を設け、第２プロセスでのアルカリ液Ｌ１の吐出流速が所定の流速以下となった場合に、アルカリ液貯留部３３内のアルカリ液Ｌ１がなくなったと判断して、第２プロセスを終了させるようにすることができる。
【０１３８】
こうすれば、流勢を強や中とした場合に較べて洗浄能力が落ちる弱を選択した場合に、使用時間を延ばすことができ、流勢を強や中とした場合と同等の洗浄力を確保することができるようになる。
【０１３９】
以上説明したように、本実施の形態１にかかる美容装置１０は、使用者Ｕの肌Ｓに供給されるアルカリ液Ｌ１を貯留するアルカリ液貯留部３３と、アルカリ液貯留部３３に貯留されたアルカリ液Ｌ１が吐出されるアルカリ液吐出口８０ａを有するアルカリ液通路８０と、使用者Ｕの肌Ｓにアルカリ液Ｌ１を吐出するポンプ部（アルカリ液吐出機構）５０と、を備えている。
【０１４０】
そして、アルカリ液Ｌ１を吐出して使用者Ｕの肌Ｓの汚れを除去するプロセスが複数設定されている。
【０１４１】
このように、アルカリ液Ｌ１を吐出して使用者Ｕの肌Ｓの汚れを除去する（肌Ｓを洗浄する）ようにすれば、アルカリ液Ｌ１によって、毛穴等に固着された皮脂、角栓などのたんぱく質の加水分解が促進されて、毛穴等に固着した汚れを軟化させることができるため、毛穴等に固着した汚れをより容易に除去することができるようになる。そして、アルカリ液Ｌ１を吐出して使用者Ｕの肌Ｓの汚れを除去するプロセスとして複数のプロセスを設定すれば、肌Ｓの汚れを軟化させるプロセスや軟化させた汚れを除去するプロセス等を設定することができ、毛穴の皮脂、角栓、塵芥物等の汚れをより効率よく除去することが可能となる。
【０１４２】
また、プロセスが、アルカリ液Ｌ１を所定の流速で吐出させる第１プロセスと、第１プロセスにおけるアルカリ液Ｌ１の吐出流速よりも速い流速でアルカリ液Ｌ１を吐出させる第２プロセスと、を有するようにすることができる。
【０１４３】
このように、アルカリ液Ｌ１を吐出して使用者Ｕの肌Ｓの汚れを除去するプロセスが、アルカリ液Ｌ１の吐出速度の異なる２つのプロセスを有するようにすれば、アルカリ液Ｌ１の肌Ｓへの供給やアルカリ液Ｌ１による毛穴の汚れ除去等、プロセスに応じてアルカリ液Ｌ１の吐出速度を切り替えることが可能となる。その結果、毛穴の皮脂、角栓、塵芥物等の汚れをより効率よく除去することが可能となる。
【０１４４】
また、第１プロセスが第２プロセスよりも先に行われるようにすることができる。
【０１４５】
こうすれば、吐出速度が比較的遅い第１プロセスによってアルカリ液Ｌ１を肌Ｓに供給した後に、吐出速度が比較的速い第２プロセスで吐出されるアルカリ液Ｌ１によって毛穴の皮脂、角栓、塵芥物等の汚れの除去を行うことができるようになる。その結果、毛穴の皮脂、角栓、塵芥物等の汚れをより効率よく除去することが可能となる。
【０１４６】
なお、毛穴の汚れを効率よく除去するためには、アルカリ液Ｌ１の肌Ｓへの吐出速度をより速くすることが考えられるが、１つのプロセスのみを用いてアルカリ液Ｌ１を吐出する場合、吐出速度が速くなりすぎて肌Ｓに刺激を与えてしまうおそれがある。これに対して、吐出速度が比較的遅い第１プロセスの後に吐出速度が比較的速い第２プロセスを行うようにすれば、第２プロセスにおける肌Ｓへのアルカリ液Ｌ１の吐出速度を必要以上に速くしなくても、毛穴の皮脂、角栓、塵芥物等の汚れを除去することが可能となる。したがって、肌Ｓに与える刺激を極力抑制しつつ、毛穴の皮脂、角栓、塵芥物等の汚れをより効率よく除去することができるようになる。
【０１４７】
また、第１プロセスに必要以上の時間をかけてしまうことを抑制することができるため、美容装置１０の使用時間の短縮化を図ることができるようになる。さらに、第１プロセスを行う際に消費されるアルカリ液Ｌ１の量を抑えることができるようになるため、アルカリ液Ｌ１を無駄に消費してしまうのを抑制することができるようになる。このように、使用時間の短縮化を図ったり、アルカリ液Ｌ１の消費量を抑えたりすることで、美容装置１０の１回あたりの使用時にかかるコストを低減させることができるようになる。
【０１４８】
また、前記第１プロセスが、回路基板（制御部）７０に形成されたタイマー（内蔵されたタイマー）により所定時間がカウントされた際に終了するように設定することができる。
【０１４９】
こうすれば、使用者Ｕ自身で判断することなく第１プロセスの終了を認識することが可能となるため、美容装置１０の使用方法を簡便にすることができる。その結果、美容装置１０の使い勝手をより向上させることができるようになる。
【０１５０】
また、タイマーを使用して第１プロセスを終了させるようにすれば、第１プロセスにかける時間が必要以上に長くなってしまったり、必要以上に短くなってしまったりすることを抑制することができる。
【０１５１】
ところで、第１プロセスにかける時間が必要以上に長くなってしまうと、美容装置１０の使用時間が長くなってしまう上、第１プロセスを行う際に多くのアルカリ液Ｌ１を消費してしまうおそれがある。一方、第１プロセスにかける時間が必要以上に短くなってしまうと、アルカリ液Ｌ１が汚れと化学反応するために必要な時間（汚れを軟化させるために必要な時間）を確保することができず、毛穴の汚れ除去効果が低下してしまうおそれがある。
【０１５２】
しかしながら、タイマーを使用して第１プロセスを終了させるようにすれば、必要以上の時間をかけることなく、アルカリ液Ｌ１が汚れと化学反応するために必要な時間を確保することができるようになる。すなわち、第１プロセスが行われる時間を、より最適な時間となるように設定することができる。
【０１５３】
こうすれば、美容装置１０の使用時間の短縮化を図りつつ、毛穴の汚れ除去効果をより向上させることができるようになる。
【０１５４】
なお、美容装置１０の使用時間の短縮化を図ることで、第１プロセスを行う際に消費されるアルカリ液Ｌ１の量や電力等を抑えることができるようになるため、アルカリ液Ｌ１や電力を無駄に消費してしまうのを抑制することができるようになる。このように、使用時間の短縮化を図り、アルカリ液Ｌ１や電力の消費量を抑えるようにすることで、１回の使用時にかかるコストを低減させることができるようになる。
【０１５５】
また、アルカリ液Ｌ１の吐出を行うための洗浄釦２６を有し、洗浄釦２６を操作している時のみにアルカリ液Ｌ１の吐出が行われるようにすることができる。
【０１５６】
こうすれば、使用者Ｕの意志によりアルカリ液Ｌ１を吐出させることができるようになるため、アルカリ液吐出口８０ａを肌Ｓに向けていない状態で、アルカリ液Ｌ１が意図せず吐出されてしまうことを抑制することができるようになる。すなわち、美容装置１０の使用時にアルカリ液Ｌ１が周囲に飛び散ってしまうのをより確実に抑制することができるようになる。その結果、より安心して美容装置１０を使用することができるようになって、美容装置１０の使い勝手をより向上させることができるようになる。
【０１５７】
また、本実施の形態１にかかる美容方法は、上記美容装置１０を用いて行われるものである。
【０１５８】
この美容方法は、ポンプ部（アルカリ液吐出機構）５０によって使用者Ｕの肌Ｓにアルカリ液Ｌ１を所定の流速で吐出させることで、使用者Ｕの肌Ｓにアルカリ液Ｌ１を供給するアルカリ液供給工程を備えている。
【０１５９】
さらに、上記美容方法は、アルカリ液供給工程の後に行われ、ポンプ部（アルカリ液吐出機構）５０によって使用者Ｕの肌Ｓにアルカリ液Ｌ１を所定の流速よりも速い流速で吐出させることで、使用者Ｕの肌Ｓを洗浄する肌洗浄工程を備えている。
【０１６０】
こうすれば、アルカリ液供給工程で肌Ｓに供給されたアルカリ液Ｌ１によって毛穴等に固着した汚れを軟化させた後に、肌洗浄工程で吐出されるアルカリ液Ｌ１によって軟化した汚れを除去する（肌Ｓを洗浄する）ことができるようになるため、毛穴の皮脂、角栓、塵芥物等の汚れをより効率よく除去することができるようになる。また、肌洗浄工程では、軟化した汚れを除去することになるため、アルカリ液Ｌ１の吐出速度を必要以上に速くしなくても汚れを除去することができるようになる。したがって、肌Ｓに与える刺激を極力抑制しつつ、毛穴の皮脂、角栓、塵芥物等の汚れをより効率よく除去することが可能となる。
【０１６１】
以上、本発明の好適な実施形態について説明したが、本発明は上記実施の形態には限定されず、種々の変形が可能である。
【０１６２】
例えば、美容装置に肌を通電する通電機構を設けるようにしてもよい。
【０１６３】
また、据え置きタイプのタンクケースと、タンクケースとは別体に設けた美容装置本体と、を備える美容装置とし、美容装置本体のアルカリ液通路と、据え置きタイプのタンクケース内のアルカリ液貯留部とをチューブ等で連通させることで、肌の汚れ除去を行うようにすることも可能である。
【０１６４】
また、本体部やタンクケース、その他細部のスペック（形状、大きさ、レイアウト等）も適宜に変更可能である。
【産業上の利用可能性】
【０１６５】
以上のように、本発明にかかる美容装置は、肌の毛穴を閉塞する皮脂、角栓、塵芥物等の汚れの除去が可能となるので、例えば、小鼻の黒ずみ改善や、頭皮の毛穴洗浄（毛穴の皮脂、角栓、塵芥物等の汚れ除去）等の用途にも適用できる。
【符号の説明】
【０１６６】
１０  美容装置
２９  洗浄釦
３３  アルカリ液貯留部
５０  ポンプ部（アルカリ液吐出機構）
８０  アルカリ液通路
８０ａ  アルカリ液吐出口
Ｌ１  アルカリ液
Ｓ  肌
Ｕ  使用者
【図１】
2018099419.tif 000003
【図２】
2018099419.tif 000004
【図３】
2018099419.tif 000005
【図４】
2018099419.tif 000006
【図５】
2018099419.tif 000007
【図６】
2018099419.tif 000008
【図７】
2018099419.tif 000009
【図８】
2018099419.tif 000010
【図９】
2018099419.tif 000011
【図１０】
2018099419.tif 000012